(57)【要約】【課題】紡績糸の結束強さ（結束の甘さ）を高い信頼性で評価できる、紡績糸の転がり試験装置を提供する。【解決手段】転がり試験装置１００は、紡績糸Ｙが糸掛けされる糸掛け体２と、この糸掛け体２に糸掛けされた紡績糸Ｙを支持する糸支持機構３と、糸支持機構３によって支持された紡績糸Ｙに対して所望の張力を付与する錘４と、紡績糸Ｙが糸掛け体２上で転がるように、糸掛け体２と紡績糸Ｙを相対的に移動させる移動機構５と、を備える。【選択図】図１
2010043923.tif 000002
【特許請求の範囲】
【請求項１】
紡績糸が糸掛けされる糸掛け体と、
この糸掛け体に糸掛けされた前記紡績糸を支持する糸支持手段と、
前記糸支持手段によって支持された前記紡績糸に対して所望の張力を付与する張力付与手段と、
前記紡績糸が前記糸掛け体上で転がるように、前記の糸掛け体と紡績糸を相対的に移動させる移動手段と、
を備える、
ことを特徴とする、紡績糸の転がり試験装置。
【請求項２】
請求項１に記載の紡績糸の転がり試験装置であって、
前記糸支持手段は、前記紡績糸を前記転がり試験装置の基体に対して位置決めし、
前記移動手段は、前記糸掛け体を移動させる、
ことを特徴とする、紡績糸の転がり試験装置。
【請求項３】
請求項１に記載の紡績糸の転がり試験装置であって、
前記糸掛け体は前記転がり試験装置の基体に対して固定され、
前記移動手段は、前記糸掛け体に対して前記紡績糸を移動させる、
ことを特徴とする、紡績糸の転がり試験装置。
【請求項４】
請求項１〜３の何れかに記載の紡績糸の転がり試験装置であって、
前記紡績糸は結束紡績糸であり、
前記糸掛け体は、前記結束紡績糸の複数の結束部が当接可能な曲面を有する、
ことを特徴とする、紡績糸の転がり試験装置。
【発明の詳細な説明】
【技術分野】
【０００１】
本発明は、紡績糸の転がり試験装置に関する。
【背景技術】
【０００２】
特許文献１（特開２００１−２０８６６３号公報）は、釣り糸の耐摩耗試験機を開示する。この耐摩耗試験機は、試験対象の糸を研磨ブロックと往復運動機構により複数回摩擦接触させ、糸切れセンサにより糸切れを検出して、糸切れが生じるまでの往復回数で耐摩耗性を測定するようになっている。
【発明の開示】
【発明が解決しようとする課題】
【０００３】
ところで、糸条の種類として、一般的なリング紡績糸の他に、結束紡績糸なるものが知られている。この結束紡績糸は、周知の通り、糸条に沿って束になった繊維束を繊維の巻き付けによって結束させて構成される。
【０００４】
上記の結束紡績糸の品質試験として、本願出願人は、上記特許文献１の試験とは全く異なる、オペレータによる下記のような結束試験を実施している。即ち、（ｉ）試験糸の両端を把持し、（ｉｉ）この試験糸を腿の上に押し当て、（ｉｉｉ）試験糸が作業着に押し当てられた状態で試験糸を腿の上で転がしながら往復させることで試験糸に形成された結束を積極的に解く動作を施し、（ｉｖ）そして、この試験糸が糸切れしたときの往復回数を結束紡績糸の結束強さとして評価している。
【０００５】
しかし、上記の結束試験はオペレータごとに大きなバラツキがあり、このため、結束試験の試験結果の信頼性に改善の余地があった。
【０００６】
本発明は斯かる諸点に鑑みてなされたものであり、その主な目的は、紡績糸の結束強さ（結束の甘さ）を高い信頼性で評価できる、紡績糸の転がり試験装置を提供することにある。
【課題を解決するための手段及び効果】
【０００７】
本発明の解決しようとする課題は以上の如くであり、次にこの課題を解決するための手段とその効果を説明する。
【０００８】
本願発明の観点によれば、以下のように構成される、紡績糸の転がり試験装置が提供される。即ち、紡績糸の転がり試験装置は、紡績糸が糸掛けされる糸掛け体と、この糸掛け体に糸掛けされた前記紡績糸を支持する糸支持手段と、前記糸支持手段によって支持された前記紡績糸に対して所望の張力を付与する張力付与手段と、前記紡績糸が前記糸掛け体上で転がるように、前記の糸掛け体と紡績糸を相対的に移動させる移動手段と、を備える。以上の構成によれば、前記糸掛け体上における前記紡績糸の安定した転がりが実現するので、前記紡績糸の結束強さを高い信頼性で評価できる。
【０００９】
上記の紡績糸の転がり試験装置は、更に、以下のように構成される。即ち、前記糸支持手段は、前記紡績糸を前記転がり試験装置の基体に対して位置決めする。前記移動手段は、前記糸掛け体を移動させる。以上の構成によれば、上記の相対的な移動は実現しつつ簡素な機構となる。
【００１０】
上記の紡績糸の転がり試験装置は、更に、以下のように構成される。即ち、前記糸掛け体は前記転がり試験装置の基体に対して固定される。前記移動手段は、前記糸掛け体に対して前記紡績糸を移動させる。以上の構成によれば、上記の相対的な移動は実現しつつ簡素な機構となる。
【００１１】
上記の紡績糸の転がり試験装置は、更に、以下のように構成される。即ち、前記紡績糸は結束紡績糸である。前記糸掛け体は、前記紡績糸の複数の結束部が当接可能な曲面を有する。以上の構成によれば、前記結束紡績糸の複数の結束部に跨る広い範囲で上記の結束強さを評価できる。
【発明を実施するための最良の形態】
【００１２】
以下、図面を参照しつつ、本発明の実施の形態を説明する。
【００１３】
図４は、結束紡績糸の拡大図である。本図に示される通り、結束紡績糸Ｙは、糸条に沿って束になった繊維束Ｙ１を繊維Ｙ２の巻き付けによって結束させて構成される。即ち、繊維束Ｙ１を構成する繊維の端部が繊維Ｙ２として繊維束Ｙ１上に巻き付いている。結束紡績糸Ｙは、ポリエステルやレーヨンなどの合成繊維や、綿糸やウールなどの天然繊維である。結束紡績糸Ｙが合成繊維の場合は、繊維束Ｙ１を構成する個々の繊維が天然繊維の場合と比較して長い。従って、合成繊維の場合は、繊維Ｙ２の巻き付きによって構成される結束部Ｙａの間隔が天然繊維の場合と比較して長く、相対的に糸切れし易いものとされる。
【００１４】
さて、図１は、本願発明の一実施形態に係る転がり試験装置の斜視図である。本図に示される転がり試験装置１００は、紡績糸Ｙの結束強さ（結束の甘さ）を評価するための装置である。この転がり試験装置１００は、基体１に支持され、紡績糸Ｙが糸掛けされる糸掛け体２と、この糸掛け体２に糸掛けされた紡績糸Ｙを支持する糸支持機構３（糸支持手段）と、糸支持機構３によって支持された紡績糸Ｙに対して所望の張力を付与する錘４（張力付与手段）と、紡績糸Ｙが糸掛け体２上で転がるように、糸掛け体２と紡績糸Ｙを相対的に移動させる移動機構５（移動手段）と、を主たる構成として備える。転がり試験装置１００は、更に、紡績糸Ｙの糸切れを検知する糸切れセンサー６（糸切れ検知手段）と、転がり試験装置１００を制御する制御装置７と、表示器８（表示手段）と、を備える。
【００１５】
上記の糸掛け体２は、円筒形状に形成されることで、湾曲した曲面２ａを有する。この曲面２ａに紡績糸Ｙの複数の結束部Ｙａが当接できるよう、糸掛け体２の直径は十分に確保される。そして、糸掛け体２は、円筒の軸方向において往復移動可能となるように基体１に支持される。上記の曲面２ａには、紡績糸Ｙに対する付着力を有する布地が貼設される。
【００１６】
上記の糸支持機構３は、紡績糸Ｙを転がり試験装置１００の基体１に対して位置決めする。詳しくは、糸支持機構３は、紡績糸Ｙを、糸掛け体２を挟む位置において、転がり試験装置１００の基体１に対して位置決めする。この糸支持機構３は、糸掛け体２を挟む位置に配設される、糸ガイド９及び糸固定マグネット１０の組み合わせから構成される。糸ガイド９及び糸固定マグネット１０は、糸掛け体２の往復移動方向における紡績糸Ｙの移動を規制するように構成される。このうち糸ガイド９は、紡績糸Ｙの糸道に沿った移動を許容するのに対し、糸固定マグネット１０は、紡績糸Ｙの糸道に沿った移動を規制する。即ち、糸固定マグネット１０は、紡績糸Ｙを転がり試験装置１００の基体１に対して固定する。この糸固定マグネット１０は、転がり試験装置１００の基体１に対して磁気的に吸着され、この糸固定マグネット１０と基体１との間に上記の紡績糸Ｙを挟み込むことで、糸固定マグネット１０は紡績糸Ｙを転がり試験装置１００の基体１に対して固定するようになっている。
【００１７】
上記の錘４は、糸ガイド９の鉛直下方に位置し、紡績糸Ｙの端部に結ばれる。
【００１８】
上記の移動機構５は、糸掛け体２を移動させる。この移動機構５は、糸掛け体２を上記円筒の軸方向において往復移動させるよう、本実施形態ではラックアンドピニオン型に構成される。そして、移動機構５は、制御装置７と電気的に接続される。
【００１９】
糸切れセンサー６は、糸ガイド９と錘４との間に配設され、本実施形態ではメカニカルセンサーとして構成される。即ち、糸切れセンサー６は、紡績糸Ｙの糸切れを検知できるよう、紡績糸Ｙに対して接触する図略の糸検知レバーを備える。なお、紡績糸Ｙの糸切れを検知できるものであればその種を問わず、例えば光学式センサーなども採用することができる。この糸切れセンサー６は、制御装置７と電気的に接続される。
【００２０】
制御装置７には、転がり試験装置１００の主電源スイッチ７ａと、試験開始スイッチ７ｂと、が設けられる。
【００２１】
表示器８は、例えば７セグメントディスプレイなどで構成され、制御装置７と電気的に接続される。
【００２２】
その他、糸掛け体２と糸固定マグネット１０を挟んで反対側には、紡績糸Ｙの糸ガイド１１が設けられる。また、糸ガイド９の下方には、落下する錘４を受け止める錘受け１２が設けられる。
【００２３】
以上の構成で、図略のボビンから引き出される紡績糸Ｙは、糸ガイド１１に糸掛けされ、糸固定マグネット１０によって基体１に固定され、糸掛け体２の曲面２ａに沿って糸掛けされ、糸ガイド９に糸掛けされ、糸切れセンサー６内を通過し、錘４に至るようにセットされる。なお、糸ガイド９と糸固定マグネット１０との間における紡績糸Ｙの糸道は、転がり試験装置１００の平面視で、糸掛け体２の円筒の軸方向、即ち、糸掛け体２の往復移動の方向に対して直角となる。換言すれば、紡績糸Ｙの糸道が転がり試験装置１００の平面視で糸掛け体２の円筒の軸方向、即ち、糸掛け体２の往復移動の方向に対して直角となるように糸ガイド９と糸固定マグネット１０が配設される。以上に、転がり試験装置１００の機械的な構成を説明した。
【００２４】
図２は、転がり試験装置の機能ブロック図である。本実施形態において制御装置７は、演算処理装置であるＣＰＵ（Ｃｅｎｔｒａｌ  Ｐｒｏｃｅｓｓｉｎｇ  Ｕｎｉｔ）と、ＣＰＵが実行する制御プログラム及び制御プログラムに使用されるデータが記憶されるＲＯＭ（Ｒｅａｄ  Ｏｎｌｙ  Ｍｅｍｏｒｙ）と、プログラム実行時にデータを一時記憶するためのＲＡＭ（Ｒａｎｄｏｍ  Ａｃｃｅｓｓ  Ｍｅｍｏｒｙ）と、を有する。上記の制御プログラムは、ＣＰＵ及びＲＯＭ、ＲＡＭなどのハードウェアを本図に示される糸掛け体制御部５０（糸掛け体制御手段）、往復回数計数部５１（往復回数計数手段）、糸切れ時往復回数表示部５２（糸切れ時往復回数表示手段）として機能させる。また、制御装置７には、前述の通り、移動機構５や糸切れセンサー６、表示器８が電気的に接続される。これにより、制御装置７は、移動機構５を制御したり、糸切れセンサー６を介して糸切れを検出したり、表示器８を介して所望の文字等情報を表示できるようになっている。
【００２５】
上記の糸掛け体制御部５０は、上記のＲＯＭに記憶された移動速度やストロークに関するデータに基づいて移動機構５を制御することで、糸掛け体２を往復移動させる。
【００２６】
上記の往復回数計数部５１は、上記糸掛け体２の往復移動の回数を計数する。この糸掛け体２の往復移動の回数に関するデータは、上記のＲＡＭに適宜に記憶され更新される。
【００２７】
上記の糸切れ時往復回数表示部５２は、糸切れが発生したときの、糸掛け体２の往復移動の回数に関するデータを上記のＲＡＭから読み込み、該データを上記の表示器８に表示させる。
【００２８】
図３は、転がり試験装置の制御フローである。以下、図３に示される制御フローを説明する。先ず、制御装置７の主電源スイッチ７ａが押下されて制御装置７の電源が投入され、図１に示されるように紡績糸Ｙがセットされた状態でオペレータが試験開始スイッチ７ｂを押下すると（Ｓ３００）、糸掛け体制御部５０は糸掛け体２が所望のストロークで一回、往復するよう移動機構５を駆動する（Ｓ３１０）。この糸掛け体２の往復移動は、紡績糸Ｙに形成された結束を積極的に解く動作となる。次に、往復回数計数部５１は、上記のＲＡＭに記憶されている往復移動の回数に関するデータ（初期値は０）に１を加算する（Ｓ３２０）。次に、糸切れ時往復回数表示部５２は、糸切れセンサー６を介して紡績糸Ｙの糸切れの有無を判定し（Ｓ３３０）、糸切れが発生していない場合は処理をＳ３１０へ戻すと共に（Ｓ３３０：ＮＯ）、糸切れが発生していた場合は処理をＳ３４０へと進め、糸切れ時往復回数表示部５２は、この時点における往復移動の回数に関するデータを上記ＲＡＭから読み込んで表示器８に表示させ（Ｓ３４０）、処理を終了する（Ｓ３５０）。オペレータは、表示器８に表示された往復移動の回数を読み、この往復移動の回数に基づいて、紡績糸Ｙの結束強さを評価する。
【００２９】
（まとめ）
以上説明したように上記実施形態において転がり試験装置１００は、以下のように構成される。即ち、転がり試験装置１００は、紡績糸Ｙが糸掛けされる糸掛け体２と、この糸掛け体２に糸掛けされた紡績糸Ｙを支持する糸支持機構３と、糸支持機構３によって支持された紡績糸Ｙに対して所望の張力を付与する錘４と、紡績糸Ｙが糸掛け体２上で転がるように、糸掛け体２と紡績糸Ｙを相対的に移動させる移動機構５と、を備える。以上の構成によれば、糸掛け体２上における紡績糸Ｙの安定した転がりが実現するので、紡績糸Ｙの結束強さを高い信頼性で評価できる。
【００３０】
上記の転がり試験装置１００は、更に、以下のように構成される。即ち、糸支持機構３は、紡績糸Ｙを転がり試験装置１００の基体１に対して位置決めする。移動機構５は、糸掛け体２を移動させる。以上の構成によれば、上記の相対的な移動は実現しつつ簡素な機構となる。
【００３１】
上記の転がり試験装置１００は、更に、以下のように構成される。即ち、前記紡績糸Ｙは結束紡績糸である。糸掛け体２は、紡績糸Ｙの複数の結束部Ｙａが当接可能な曲面２ａを有する。以上の構成によれば、結束紡績糸Ｙの複数の結束部Ｙａに跨る広い範囲で上記の結束強さを評価できる。
【００３２】
以上に本発明の好適な実施形態を説明したが、上記の実施形態は以下のように変更して実施することができる。
【００３３】
即ち、例えば、上記実施形態において糸掛け体２は円筒形状としたが、紡績糸Ｙが接触しない部分については、適宜に肉抜きしてもよい。
【００３４】
また、上記実施形態では、糸切れ時往復回数表示部５２が、糸切れの際の糸掛け体２の往復移動の回数を表示器８に表示させることとしたが、この糸掛け体２の往復移動の回数はオペレータが目視で数えてもよい。
【００３５】
また、上記実施形態では、糸掛け体２の往復移動の回数に基づいて紡績糸Ｙの結束強さを評価することとしているが、これに代えて、糸掛け体２の往路側の移動と復路側の移動を夫々１つの移動して計数することとしてもよい。
【００３６】
糸切れの際の糸掛け体２の往復移動の回数を表示器８に表示させる糸切れ時往復回数表示部５２に代えて、糸切れの際の糸掛け体２の往復移動の回数に関するデータを上記のＲＡＭに蓄積する糸切れ時往復回数蓄積部（糸切れ時往復回数蓄積手段）を備える構成も考えられる。また、糸切れの際の糸掛け体２の往復移動の回数に関するデータを外部接続されたＰＣやプリンタなどに出力する糸切れ時往復回数出力部（糸切れ時往復回数出力手段）を備える構成も考えられる。
【００３７】
また、糸掛け体２の曲面２ａに貼設される布地はその種を問わないが、オペレータの作業着の布地と同一の布地を採用してもよい。
【００３８】
また、糸掛け体２は転がり試験装置１００の基体１に対して固定され、この糸掛け体２に対して紡績糸Ｙを移動させる別の移動機構を設けてもよい。この場合も、上記同様に、上記の相対的な移動は実現しつつ簡素な機構となる。
【００３９】
また、上記の転がり試験装置１００は、特に、結束紡績糸の転がり試験に適しているが、これに限らず、他の紡績糸にも適用可能である。
【図面の簡単な説明】
【００４０】
【図１】本願発明の一実施形態に係る転がり試験装置の斜視図
【図２】転がり試験装置の機能ブロック図
【図３】転がり試験装置の制御フロー
【図４】結束紡績糸の拡大図
【符号の説明】
【００４１】
１  基体
２  糸掛け体
３  糸支持機構
４  錘
５  移動機構
Ｙ  紡績糸
【図１】
2010043923.tif 000003
【図２】
2010043923.tif 000004
【図３】
2010043923.tif 000005
【図４】
2010043923.tif 000006